(57)【要約】【課題】特定色について行った複数の異なる調整を容易に比較することができるようにする。【解決手段】コンピュータ装置３０は、カラーパッチとして出力を希望する特色と、特色に適用するプロファイルが選択されると、選択された特色とプロファイル名とを対応付ける。サーバ装置２０は、特色とプロファイルの複数の組をコンピュータ装置３０から受け取ると、特色に対して組となっているプロファイルのルックアップテーブルを使用し、特色のＬ＊ａ＊ｂ＊の値をＣＭＹＫの値に調整し、特色とプロファイルの組毎にカラーパッチの画像を生成する。サーバ装置２０は、カラーパッチの画像を生成すると、この画像を表す画像データを画像形成装置１０へ送信する。画像形成装置１０は、画像データを受け取ると、カラーパッチの画像を記録媒体上に形成する。【選択図】図１
2010141409.tif 000002
【特許請求の範囲】
【請求項１】
特定色を表すデータと、前記データを調整する複数のプロファイルを記憶する記憶手段と、
前記特定色を識別する色識別子と、前記プロファイルを識別するプロファイル識別子との組を複数受け付ける受付手段と、
前記受付手段で受け付けた複数の組毎に、前記色識別子で特定される前記記憶手段の特定色のデータを該色識別子と組のプロファイル識別子で特定される前記記憶手段のプロファイルに基づいて調整し、調整されたデータが表す色の画像を生成する画像生成手段と、
前記画像生成手段で生成された複数の画像を配置した画像を出力する出力手段と
を有する画像処理装置。
【請求項２】
前記出力手段は、前記画像生成手段が生成した複数の画像を一のページ内に配置して出力することを特徴とする請求項１に記載の画像処理装置。
【請求項３】
特定色を表すデータと、前記データを調整する複数のプロファイルを記憶する記憶手段と、
前記特定色を識別する色識別子と、前記プロファイルを識別するプロファイル識別子との組を複数受け付ける受付手段と、
前記受付手段で受け付けた複数の組毎に、前記色識別子で特定される前記記憶手段の特定色のデータを該色識別子と組のプロファイル識別子で特定される前記記憶手段のプロファイルに基づいて調整し、調整されたデータが表す色の画像を生成する画像生成手段と、
前記画像生成手段で生成された複数の画像を配置した画像を出力する出力手段と
を有する画像処理装置と、
前記色識別子と、前記プロファイル識別子との組を生成し、生成した組を前記受付手段へ送るコンピュータ装置と、
前記出力手段から出力された画像を受け付け、受け付けた画像を記録媒体に形成する画像形成手段を有する画像形成装置と
を有する画像処理システム。
【請求項４】
コンピュータを、
特定色を識別する色識別子と、前記特定色を表すデータを調整するプロファイルを識別するプロファイル識別子との組を複数受け付ける受付手段と、
前記受付手段で受け付けた複数の組毎に、前記色識別子で特定される特定色のデータを、該色識別子と組のプロファイル識別子で特定されるプロファイルに基づいて調整し、調整されたデータが表す色の画像を生成する画像生成手段と、
前記画像生成手段で生成された複数の画像を配置した画像を出力する出力手段
として機能させるためのプログラム。
【発明の詳細な説明】
【技術分野】
【０００１】
本発明は、画像処理装置、画像処理システム及びプログラムに関する。
【背景技術】
【０００２】
液晶またはＣＲＴ（Cathode Ray Tube）を用いたディスプレイ装置上で確認した色をインクまたはトナーを使用する画像形成装置で紙に出力すると、紙に出力された色がディスプレイ装置において確認した色と異なり、所望の色を得られないことがある。
このような課題を解決するためにカラーマッチングという技術があり、特許文献１には、カラーマッチングを簡単に行う技術が開示されている。
【０００３】
【特許文献１】特開平１１−１２９５４９号公報
【発明の開示】
【発明が解決しようとする課題】
【０００４】
本発明は、特定色について行った複数の異なる調整を容易に比較することができる技術を提供することを目的とする。
【課題を解決するための手段】
【０００５】
本発明の請求項１に記載の画像処理装置は、特定色を表すデータと、前記データを調整する複数のプロファイルを記憶する記憶手段と、前記特定色を識別する色識別子と、前記プロファイルを識別するプロファイル識別子との組を複数受け付ける受付手段と、前記受付手段で受け付けた複数の組毎に、前記色識別子で特定される前記記憶手段の特定色のデータを該色識別子と組のプロファイル識別子で特定される前記記憶手段のプロファイルに基づいて調整し、調整されたデータが表す色の画像を生成する画像生成手段と、前記画像生成手段で生成された複数の画像を配置した画像を出力する出力手段とを有する。
【０００６】
本発明の請求項２に記載の画像処理装置は、前記出力手段は、前記画像生成手段が生成した複数の画像を一のページ内に配置して出力する。
【０００７】
本発明の請求項３に記載の画像処理システムは、特定色を表すデータと、前記データを調整する複数のプロファイルを記憶する記憶手段と、前記特定色を識別する色識別子と、前記プロファイルを識別するプロファイル識別子との組を複数受け付ける受付手段と、前記受付手段で受け付けた複数の組毎に、前記色識別子で特定される前記記憶手段の特定色のデータを該色識別子と組のプロファイル識別子で特定される前記記憶手段のプロファイルに基づいて調整し、調整されたデータが表す色の画像を生成する画像生成手段と、前記画像生成手段で生成された複数の画像を配置した画像を出力する出力手段とを有する画像処理装置と、前記色識別子と、前記プロファイル識別子との組を生成し、生成した組を前記受付手段へ送るコンピュータ装置と、前記出力手段から出力された画像を受け付け、受け付けた画像を記録媒体に形成する画像形成手段を有する画像形成装置とを有する。
【０００８】
本発明の請求項４に記載のプログラムは、コンピュータを、特定色を識別する色識別子と、前記特定色を表すデータを調整するプロファイルを識別するプロファイル識別子との組を複数受け付ける受付手段と、前記受付手段で受け付けた複数の組毎に、前記色識別子で特定される特定色のデータを、該色識別子と組のプロファイル識別子で特定されるプロファイルに基づいて調整し、調整されたデータが表す色の画像を生成する画像生成手段と、前記画像生成手段で生成された複数の画像を配置した画像を出力する出力手段として機能させる。
【発明の効果】
【０００９】
請求項１，３，４に記載の発明によれば、特定色について行った複数の異なる調整を容易に比較することができる。
請求項２に記載の発明によれば、特定色について行った複数の異なる調整を複数のページにまたがることなく一のページ内で容易に比較することができる。
【発明を実施するための最良の形態】
【００１０】
［実施形態］
（全体構成）
図１は、本発明の一実施形態に係るシステムの全体構成を例示した図である。
画像形成装置１０は、文書の複写機能、文書を読み取り、読み取った文書の画像データを生成する機能、画像データが示す画像を紙などの記録媒体上に形成する機能などを備えた装置である。また、サーバ装置２０は、コンピュータ装置３０からの要求を受けて様々なサービスをコンピュータ装置３０へ提供する装置である。サーバ装置２０は、自身に接続された画像形成装置１０を複数のコンピュータ装置３０から利用可能とする機能を備えており、コンピュータ装置３０から画像の形成指示を受け付けると、接続されている画像形成装置１０に対して記録媒体への画像の形成を指示する。また、コンピュータ装置３０は、記憶しているプログラムを実行することにより種々の機能が実現するコンピュータ装置であり、サーバ装置２０が提供するサービスを利用する。
各装置は装置間を通信可能に接続する通信回線４０に接続されており、通信回線４０を介して互いに通信を行うことが可能となっている。なお、図１においては、一つの画像形成装置１０、一つのコンピュータ装置３０および一つのサーバ装置２０が図示されているが、通信回線４０には各装置が二つ以上接続されていてもよい。
【００１１】
（画像形成装置１０の構成）
図２は、本実施形態に係る画像形成装置１０のハードウェア構成を例示したブロック図である。同図に示したように、画像形成装置１０の各部は、バス１０１に接続されており、このバス１０１を介して各種データの授受を行う。
【００１２】
操作部１０６は、画像形成装置１０を操作するための複数の操作子を備えている。画像形成装置１０の利用者が操作子を操作すると、いずれの操作子が操作されたかがＣＰＵ（Central Processing Unit）１０２により検出され、操作された操作子に応じてＣＰＵ１０２が各部を制御する。
表示部１０７は、画像を表示する表示装置を有しており、ＣＰＵ１０２の制御の下、画像形成装置１０を操作するためのメニュー画面や画像形成装置１０に関するデータなどを表示する。
通信部１１０は、通信回線４０に接続されており、通信回線４０に接続されている他の装置と通信を行う通信インターフェースとして機能する。
【００１３】
画像読取部１０８は、文書を読み取り、読み取った文書の画像を表す画像データを生成する画像読取装置（図示略）を備えており、生成した画像データを画像処理部１１１へ出力する。
画像処理部１１１は、入力される画像データが表す画像に色補正や階調補正等の画像処理を施すものであり、画像処理が施された画像からＹｅｌｌｏｗ（Ｙ），Ｍａｇｅｎｔａ（Ｍ），Ｃｙａｎ（Ｃ），Ｂｌａｃｋ（Ｋ）の各色の画像の画像データを生成して画像形成部１０９へ出力する。
【００１４】
画像形成部１０９は、電子写真方式によって紙などの記録媒体にトナー像を形成する画像形成機構（図示略）を具備している。具体的には、この画像形成機構は、Ｙｅｌｌｏｗ（Ｙ）の色のトナー像を形成する画像形成機構，Ｍａｇｅｎｔａ（Ｍ）の色のトナー像を形成する画像形成機構，Ｃｙａｎ（Ｃ）の色のトナー像を形成する画像形成機構，Ｂｌａｃｋ（Ｋ）の色のトナー像を形成する画像形成機構を備えている。
各画像形成機構は、画像読取部１０８が生成した画像データまたは通信部１１０が受信した画像データに従って感光体上に静電潜像を形成した後、感光体表面にトナーを付着させてＹ・Ｍ・Ｃ・Ｋの各色のトナー像を形成し、このトナー像を記録媒体に転写する。そして、記録媒体に転写されたトナー像に熱と圧力を加えて定着させた後、トナー像が形成された記録媒体を画像形成装置１０の外へ排出する。
なお、本実施形態においてはトナーを用いて記録媒体に画像を形成するが、インクを用いて記録媒体に画像を形成する構成としてもよい。
【００１５】
記憶部１０５は記憶装置を具備しており、通信部１１０で受信したデータや画像形成装置１０で生成されたデータなどを記憶する。
ＲＯＭ（Read Only Memory）１０３は、ＣＰＵ１０２により実行される制御プログラムを記憶している。ＣＰＵ１０２は、ＲＯＭ１０３に記憶されている制御プログラムを読み出し、ＲＡＭ（Random Access Memory）１０４を作業エリアにして制御プログラムを実行する。ＣＰＵ１０２により制御プログラムが実行されると、ＣＰＵ１０２により画像形成装置１０の各部が制御され、画像形成装置１０は記録媒体上に画像データが表す画像を形成して出力することや文書を読み取って文書の画像データを生成すること、通信回線を介して他の装置と通信を行い画像データを受信することなどが可能となる。
【００１６】
（サーバ装置２０の構成）
図３はサーバ装置２０のハードウェア構成を例示したブロック図である。同図に示したように、サーバ装置２０の各部はバス２０１に接続されており、このバス２０１を介して各種データの授受を行う。
【００１７】
操作部２０６は、キーボードやマウス等、サーバ装置２０を操作するための装置を備えている。サーバ装置２０の操作者によりこれらの装置が操作されると、行われた操作に応じてＣＰＵ２０２が各種処理を行う。
表示部２０７は、表示装置を有しており、ＣＰＵ２０２の制御の下、サーバ装置２０を操作するためのメニュー画面やサーバ装置２０が有するデータなどを表示する。
通信部２１０は、通信回線４０に接続されており、通信回線４０に接続されている他の装置と通信を行う通信インターフェースとして機能する。
【００１８】
記憶部２０５は記憶装置を具備しており、クライアントとなる装置に各種サービスを提供する機能を実現するＯＳプログラム２０５Ａを記憶している。
記憶部２０５は、特定の色（特定色：以下、特色と称する）を表す特色データを複数記憶しており、本実施形態においては、特色をＣＩＥ Ｌ＊ａ＊ｂ＊表色系で表した時のＬ＊の値と、ａ＊の値と、ｂ＊の値を、特色を識別する色識別子に対応付けて記憶している。
また、記憶部２０５は、前記特色データを調整するカラーマッチング用のプロファイルとして、ファイル名がプロファイルＰ１であるプロファイル、ファイル名がプロファイルＰ２であるプロファイル、ファイル名がプロファイルＰ３であるプロファイル、ファイル名がプロファイルＰ４であるプロファイルを記憶している。
各プロファイルは、Ｌ＊、ａ＊、ｂ＊の組で表される色をＣＭＹＫの表現法で表した時のＣＭＹＫの各色の値をルックアップテーブルとして有しており、このルックアップテーブルを用いると、Ｌ＊、ａ＊、ｂ＊の組で表される色をＣＭＹＫの値に調整することができる。なお、各プロファイルは、ルックアップテーブルの値が異ならせてあるため、例えば、ある特色のＬ＊ａ＊ｂ＊の組に対してプロファイルＰ１のルックアップテーブルを用いて得たＣＭＹＫの値と、プロファイルＰ２のルックアップテーブルを用いて得たＣＭＹＫの値は異なることとなる。
【００１９】
ＲＯＭ２０３は、ＩＰＬ（Initial Program Loader）を記憶している。サーバ装置２０の電源が入れられると、ＣＰＵ２０２はＲＯＭ２０３からＩＰＬを読み出して起動する。ＣＰＵ２０２によりＩＰＬが起動されると、記憶部２０５に記憶されているＯＳプログラム２０５Ａが実行され、記憶部２０５の制御、通信回線４０を介した通信を行う通信機能等、コンピュータ装置としての基本的な機能や、クライアントとなる装置に各種サービスを提供する機能、記録媒体への画像形成を画像形成装置１０に対して指示する機能などが実現する。
【００２０】
（コンピュータ装置３０の構成）
図４はコンピュータ装置３０のハードウェア構成を例示したブロック図である。同図に示したように、コンピュータ装置３０の各部はバス３０１に接続されており、このバス３０１を介して各種データの授受を行う。
【００２１】
操作部３０６は、キーボードやマウス等、コンピュータ装置３０を操作するための装置を備えている。コンピュータ装置３０の操作者によりこれらの装置が操作されると、行われた操作に応じてＣＰＵ３０２が各種処理を行う。
表示部３０７は、表示装置を有しており、ＣＰＵ３０２の制御の下、コンピュータ装置３０を操作するためのメニュー画面やコンピュータ装置３０が有するデータなどを表示する。
通信部３１０は、通信回線４０に接続されており、通信回線４０に接続されている他の装置と通信を行う通信インターフェースとして機能する。
記憶部３０５は、記憶装置を具備しており、コンピュータ装置３０においてオペレーティングシステムの機能を実現するＯＳプログラムや、サーバ装置２０と通信を行い、カラーパッチの出力の指示をサーバ装置２０に対して行う機能を実現するアプリケーションプログラムを記憶している。
【００２２】
ＲＯＭ３０３はＩＰＬを記憶しており、コンピュータ装置３０の電源が入れられると、ＣＰＵ３０２はＲＯＭ３０３からＩＰＬを読み出して起動する。ＣＰＵ３０２によりＩＰＬが起動されると、記憶部３０５に記憶されているＯＳプログラムが読み出されて実行され、記憶部３０５の制御、通信回線４０を介した通信を行う通信機能等、コンピュータ装置としての基本的な機能が実現する。
また、ＣＰＵ３０２によりアプリケーションプログラムが実行されると、コンピュータ装置３０においては、サーバ装置２０と通信を行う機能、カラーパッチに関する各種設定を行うユーザインターフェースが実現され、カラーパッチの出力の指示をサーバ装置２０に対して行う機能が実現する。
【００２３】
（実施形態の動作例）
以下、実施形態の動作例について説明する。なお、以下の説明においては、コンピュータ装置３０がサーバ装置２０と通信を行い、コンピュータ装置３０がカラーパッチの出力をサーバ装置２０へ指示する動作や、コンピュータ装置３０においてカラーパッチに関する設定を行う動作について説明する。
【００２４】
まず、コンピュータ装置３０においてアプリケーションプログラムが実行されると、コンピュータ装置３０は、サーバ装置２０が記憶している特色データおよびカラーマッチング用のプロファイルのファイル名を要求する要求メッセージをサーバ装置２０へ送信する（図５：ステップＳ１）。
【００２５】
この要求メッセージを受け取ったサーバ装置２０のＣＰＵ２０２は、記憶部２０５に記憶しているプロファイルのファイル名と特色データとを読み出し、読み出したファイル名と特色データとをコンピュータ装置３０へ送信する（ステップＳ２）。
そして、コンピュータ装置３０が、このファイル名と特色データとを受信すると、コンピュータ装置３０は、図６に示した画面を表示部３０７に表示し、受信した特色データの色識別子をリストボックスＡ１内に表示し、受信したプロファイル名をリストボックスＡ２内に表示する。
【００２６】
図６に示した画面が表示された後、コンピュータ装置３０の操作者は、操作部３０６を操作して、カラーパッチとして出力を希望する特色と、特色に適用するプロファイルを選択する。
例えば、コンピュータ装置３０の操作者が操作部３０６を操作してリストボックスＡ１において特色として「ＣＯＬＯＲ１」を選択すると、選択された「ＣＯＬＯＲ１」の色が領域Ｂ１に表示される。そして、操作者がリストボックスＡ２においてプロファイルとして「プロファイルＰ１」を選択する操作を行った後、画面内の「決定」ボタンをクリックする操作を行うと、選択された特色の色識別子と、この特色のカラーパッチを出力する時に適用するプロファイル名とが対応付けられて図７に示したように画面中の領域Ａ３に表示される。
【００２７】
操作者は、他の特色についても上述した操作と同じ操作を行い、特色毎に適用するプロファイルを選択する。なお、一つの特色については適用するプロファイルとして複数のプロファイルを選ぶことが可能であり、図８に示したように特色と、特色に適用するプロファイルの組を複数設定することができる。
【００２８】
さて、操作者は、カラーパッチとして出力を希望する特色および特色に適用するプロファイルの選択を終了すると、画面内の「出力」ボタンをクリックする操作を行う。この操作が行われると、コンピュータ装置３０は、領域Ａ３に表示されている特色の色識別子とプロファイル名との組、ここでは、（ＤＩＣ１，プロファイルＰ１）の組、（ＤＩＣ１，プロファイルＰ２）の組、（ＤＩＣ２，プロファイルＰ１）の組、（ＤＩＣ２，プロファイルＰ２）の組、（ＤＩＣ３，プロファイルＰ１）の組、（ＤＩＣ３，プロファイルＰ２）の組、（ＤＩＣ３，プロファイルＰ３）の組をサーバ装置２０へ送信する（ステップＳ３）。
【００２９】
この色識別子とプロファイル名との組をサーバ装置２０が受信すると、ＣＰＵ２０２は、受信した組毎に、色識別子で特定される色に対してプロファイル名で特定されるプロファイルのルックアップテーブルを使用し、特色のＬ＊ａ＊ｂ＊の値をＣＭＹＫの値に調整し、カラーパッチの画像を生成する（ステップＳ４）。
ここでは、上述したように７組の色識別子とプロファイル名との組を受信したため、サーバ装置２０は、ＣＯＬＯＲ１の色に対してプロファイルＰ１を適用した画像Ｇ１、ＣＯＬＯＲ１の色に対してプロファイルＰ２を適用した画像Ｇ２、ＣＯＬＯＲ２の色に対してプロファイルＰ１を適用した画像Ｇ３、ＣＯＬＯＲ２の色に対してプロファイルＰ２を適用した画像Ｇ４、ＣＯＬＯＲ３の色に対してプロファイルＰ１を適用した画像Ｇ５、ＣＯＬＯＲ３の色に対してプロファイルＰ２を適用した画像Ｇ６、ＣＯＬＯＲ３の色に対してプロファイルＰ３を適用した画像Ｇ７を生成し、図９に示したように、生成した画像を一頁内に配置したラスターイメージの画像を生成する。なお、図９に示したように、生成した画像中においては、各画像の特色の色識別子と、各画像を生成する際に用いたプロファイルのファイル名も配置される。
また、本実施形態においては、カラーパッチの画像を示す画像データは、予めＲＯＭ２０３または記憶部２０５に記憶されており、ＣＰＵ２０２は、この記憶されている画像データを読み出し、読み出した画像データが表す画像をカラーパッチの画像とする。
【００３０】
そしてＣＰＵ２０２は、図９に示した画像を生成すると、この画像を表す画像データを画像形成装置１０へ送信する（ステップＳ５）。
なお、画像Ｇ１と画像Ｇ２とを比較すると、同じ特色であっても適用するプロファイルが異なるため、画像Ｇ１のＣＭＹＫの値と、画像Ｇ２のＣＭＹＫの値は異なっている。また、画像Ｇ３と画像Ｇ４とを比較すると、同じ特色であっても適用するプロファイルが異なるため、画像Ｇ３のＣＭＹＫの値と画像Ｇ３のＣＭＹＫの値は異なっており、画像Ｇ５，Ｇ６，Ｇ７とを比較すると、同じ特色であっても適用するプロファイルが異なるため、画像Ｇ５〜Ｇ７のＣＭＹＫの値は各々異なっている。
【００３１】
次に、この画像データを受信した画像形成装置１０は、受信した画像データに基づいて、図９に示した画像のトナー像を形成し、形成したトナー像を記録媒体に転写し、紙上に図９に示した画像を形成する。
なお、画像Ｇ１を形成する際に使用されるＹＭＣＫの各トナーの量は、画像Ｇ１のＣＭＹＫの値に基づいて設定され、画像Ｇ２を形成する際に使用されるトナーの量は、画像Ｇ２のＣＭＹＫの値に基づいて設定される。
ここで、画像Ｇ１のＣＭＹＫの値と画像Ｇ２のＣＭＹＫの値は異なるため、同じ特色であっても使用するトナーの量が異なり、画像Ｇ１と画像Ｇ２の色は違うものとなる。図９においては画像Ｇ１と画像Ｇ２が一頁内に並べられて配置されているため、同じ特色でプロファイルを替えると、紙上でどのように色が異なるかを一頁内で確認することができる。また、画像Ｇ３と画像Ｇ４および画像Ｇ５〜Ｇ７についても、同じ特色でプロファイルを替えると、紙上でどのように色が異なるかを一頁内で確認することができる。
【００３２】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００３３】
上述した実施形態においては、サーバ装置２０と画像形成装置１０とを一体化し、画像形成装置１０がサーバ装置２０として機能するようにしてもよい。
また、上述した実施形態においては、コンピュータ装置３０において特色に適用するプロファイルを設定しているが、サーバ装置２０において表示部２０７に図６の画面を表示し、操作者が操作部２０６を操作してサーバ装置２０において特色に適用するプロファイルを設定してもよく、さらにサーバ装置２０において操作者がカラーパッチの出力をサーバ装置２０に指示するようにしてもよい。
また、画像形成装置１０が、特色データおよびカラーマッチング用のプロファイルを記憶し、画像形成装置１０において表示部１０７に図６の画面を表示し、操作者が操作部１０６を操作して画像形成装置１０において特色に適用するプロファイルを設定してもよく、さらに画像形成装置１０において操作者がカラーパッチの出力を画像形成装置１０に指示するようにしてもよい。
【００３４】
上述した実施形態においては、カラーパッチの画像Ｇ１〜Ｇ７の大きさや形状は同じとなっているが、特色に適用したプロファイルによって画像の大きさを異ならせるようにしてもよく、たとえば、プロファイルＰ１を適用した画像の面積はａ［ｃｍ２］とし、プロファイルＰ２を適用した画像の面積はａ［ｃｍ２］より面積の大きいｂ［ｃｍ２］とするようにしてもよい。
また、上述した実施形態においては、カラーパッチの画像は正方形の図形となっているが、カラーパッチの画像は正方形に限定されず、円形や長方形、多角形など他の画像であってもよく、また、図形に限定されず一の文字または文字列であってもよい。
また、特色に適用したプロファイルによって画像の形状を異ならせるようにしてもよく、たとえば、プロファイルＰ１を適用した画像の形状は円形とし、プロファイルＰ２を適用した画像の形状は正方形とするようにしてもよい。
また、特色に適用したプロファイルによって画像の属性を異ならせるようにしてもよく、たとえば、プロファイルＰ１を適用した特色については文字の画像とし、プロファイルＰ２を適用した特色については図形の画像とするようにしてもよい。
また、一頁内を複数の領域に分割し、第１の領域にはプロファイルＰ１を適用した画像を配置し、第２の領域にはプロファイルＰ２を適用した画像を配置し、第３の領域にはプロファイルＰ３を適用した画像を配置するという構成としてもよい。
また、上述した実施形態においては、カラーパッチの画像は予め定められた形状となっているが、コンピュータ装置３０において、カラーパッチの画像の形状を複数の選択肢の中から操作者に選択させ、選択された形状を表すデータをサーバ装置２０へ送信し、サーバ装置２０は、このデータが表す形状の画像をカラーパッチの画像としてもよい。
【００３５】
上述した実施形態においては、記憶部２０５は、特色についてＣＩＥ Ｌ＊ａ＊ｂ＊表色系で表した時のＬ＊の値と、ａ＊の値と、ｂ＊の値を記憶しているが、ＣＩＥ Ｌ＊ａ＊ｂ＊表色系で表した時の値に限定されず、特色をＲＧＢ表色系で表した時の値、ＸＹＺ表色系で表した時の値、Ｌ＊ｕ＊ｖ＊表色系で表した時の値など、他の表色系で表した時の値を記憶してもよい。なお、プロファイルのルックアップテーブルについても、特色を表す表色系に応じて変更してもよい。
【００３６】
上述した実施形態においては、一頁内にカラーパッチの画像が形成されているが、例えば、ＣＯＬＯＲ１の特色の画像は一頁目、ＣＯＬＯＲ２の特色の画像は２頁目というように、特色毎に頁を替えた出力を選択できるようにしてもよい。
【００３７】
上述した実施形態では、サーバ装置２０がラスターイメージの画像を生成しているが、サーバ装置２０は、図９に示した画像を表すデータをページ記述言語（たとえばPostScript（登録商標））を用いて生成して画像形成装置１０へ送信し、画像形成装置１０が、ページ記述言語で記述されたデータを解釈して図９に示した画像を生成して記録媒体に画像形成を行うようにしてもよい。この場合、記憶部２０５に記憶されているプロファイルは記憶部３０５に記憶される。
【００３８】
なお、たとえば、カラーパッチの画像を四角形とし、四角形の領域内を特色で塗りつぶす場合、一つのパッチ画像についてはページ記述言語の記述は例えば以下の記述となる。
100 100 moveto                                       
50 0 lineto                                          
0 50 lineto                                          
-50 0 lineto                                         
0 -50 lineto                                         
closepath                                            ％四角形を定義
[/Separation (COLOR1) /DeviceGray{}] setcolorspace  ％特色を指定
1 setcolor
fill                                                 ％四角形を塗りつぶし
【００３９】
ここで、カラーパッチの画像毎にプロファイルを指定する場合には、使用するプロファイルを指定する命令をページ記述言語の仕様に追加し、各画像の特色を指定する命令の前に、使用するプロファイル名と、このプロファイル名のプロファイルを使用することを指示する命令を記述し、使用するプロファイルを画像毎に切り替える。そして、ページ記述言語を解釈して画像を生成する際には、命令で指定されたプロファイルを用いて特色を調整し、調整された色でパッチ画像の塗りつぶしを行う。
【００４０】
上述した各プログラムは、磁気記録媒体（磁気テープ、磁気ディスク（ＨＤＤ（Hard Disk Drive）、ＦＤ（Flexible Disk））など）、光記録媒体（光ディスク（ＣＤ（Compact Disc）、ＤＶＤ（Digital Versatile Disk））など）、光磁気記録媒体、半導体メモリなどのコンピュータ読取り可能な記録媒体に記憶した状態で提供し、各装置にインストールしてもよい。また、通信回線を介して各装置にダウンロードしてインストールすることも可能である。
【図面の簡単な説明】
【００４１】
【図１】本発明の一実施形態に係るシステムの全体構成を示した図である。
【図２】画像形成装置１０のハードウェア構成を示したブロック図である。
【図３】サーバ装置２０のハードウェア構成を示したブロック図である。
【図４】コンピュータ装置３０のハードウェア構成を示したブロック図である。
【図５】実施形態の動作を説明するための図である。
【図６】表示部３０７に表示される画面を例示した図である。
【図７】表示部３０７に表示される画面を例示した図である。
【図８】表示部３０７に表示される画面を例示した図である。
【図９】画像形成装置１０が記録媒体に形成した画像を例示した図である。
【符号の説明】
【００４２】
１０・・・画像形成装置、１０１・・・バス、１０２・・・ＣＰＵ、１０３・・・ＲＯＭ、１０４・・・ＲＡＭ、１０５・・・記憶部、１０６・・・操作部、１０７・・・表示部、１０８・・・画像読取部、１０９・・・画像形成部、１１０・・・通信部、１１１・・・画像処理部、２０・・・サーバ装置、２０１・・・バス、２０２・・・ＣＰＵ、２０３・・・ＲＯＭ、２０４・・・ＲＡＭ、２０５・・・記憶部、２０６・・・操作部、２０７・・・表示部、２１０・・・通信部、３０・・・コンピュータ装置、３０１・・・バス、３０２・・・ＣＰＵ、３０３・・・ＲＯＭ、３０４・・・ＲＡＭ、３０５・・・記憶部、３０６・・・操作部、３０７・・・表示部、３１０・・・通信部、４０・・・通信回線
【図１】
2010141409.tif 000003
【図２】
2010141409.tif 000004
【図３】
2010141409.tif 000005
【図４】
2010141409.tif 000006
【図５】
2010141409.tif 000007
【図６】
2010141409.tif 000008
【図７】
2010141409.tif 000009
【図８】
2010141409.tif 000010
【図９】
2010141409.tif 000011